(57)【特許請求の範囲】
【請求項１】
プラズマディスプレイパネルの前面に設けられ、外光の反射を防止する機能およびプラズマディスプレイパネルの発光色を補正する機能を有する光学フィルタに、プラズマディスプレイパネルより放出される近赤外領域の線スペクトルを遮断すると共にプラズマディスプレイパネルより漏洩する電磁波を遮蔽する層を設けた光学フィルタ装置において、
前記層は、銀の薄膜を略１００Åの厚さに成膜して形成されてなることを特徴とする光学フィルタ装置。
【発明の詳細な説明】
【０００１】
【発明の属する技術分野】
本発明は光学フィルタ装置に係り、プラズマディスプレイパネル（ＰＤＰ）の漏洩する電磁波を遮蔽し近赤外線を遮断するものに関する。
【０００２】
【従来の技術】
映像表示装置に使用されるガス放電表示パネル、例えば、ＰＤＰは、電極間の放電により内部に封入されているガスの分子を励起し（具体的にはキセノンガスにネオンガスを混合し、キセノンガスの分子の励起を助ける）、発生する紫外線で内部に塗布されている蛍光物質を励起し、可視光領域の光を発光させ映像を表示するが、この放電等により電磁波が発生し、僅かではあるが外部に漏洩する。また、キセノンガスは励起により紫外線の他に近赤外領域の線スペクトルを発生し、この線スペクトルの波長はリモートコントロール装置あるいは光通信等に用いるＬＥＤ（発光ダイオード）の発光スペクトルの中心波長（800nm 〜1000nm）に近いため、ＰＤＰの近傍でこれらの装置を動作させたとき妨害を与える場合がある。
【０００３】
このため、ＰＤＰの前面に光学フィルタを配設し、ＰＤＰより漏洩されるこれら電磁波および近赤外領域の線スペクトルを遮断するようにしているが、電磁波の遮蔽は、アクリル等の合成樹脂で形成した光学フィルタの面に、例えば、導電体を網目状にして電磁波遮蔽層を形成し、漏洩を防止すべき周波数範囲をカバーし、かつ映像光を妨げないように、網目の導電体の幅および間隔、網目の向き（ＰＤＰの画素の行列と網目の導電体とが重ならないように網目を斜めにする）を設定したものとし、また、近赤外領域の線スペクトルの遮断のため、例えば、赤外線吸収ガラスまたはプラスチックベースの赤外線吸収フィルタによる層を設けているが、このように電磁波の遮蔽と近赤外領域の線スペクトルの遮断とを別々の層で行うものは、それぞれの層を別個に製作し、これらを組合せるため製作費用が嵩むという問題がある。なお、導電体を網目状に形成した電磁波遮蔽層は、網目により映像光が妨げられるのは避けられず、画面を暗くする原因になるという問題もある。
【０００４】
【発明が解決しようとする課題】
本発明はこのような点に鑑み、ＰＤＰより漏洩される電磁波を遮蔽でき、かつ、近赤外領域の線スペクトルの透過を遮断でき、しかも、これらをより安価に達成することにある。
【０００５】
【課題を解決するための手段】
本発明は上述の課題を解決するため、ＰＤＰの前面に設けられ、外光の反射を防止する機能およびＰＤＰの発光色を補正する機能を有する光学フィルタに、ＰＤＰより放出される近赤外領域の線スペクトルを遮断すると共にＰＤＰより漏洩する電磁波を遮蔽する層、例えば、透明なフィルムにスパッタ等により銀および無機酸化物からなる薄膜を透明状に成膜した層を設け、この層の厚さを略１００Åに成膜する。
【０００６】
【発明の実施の形態】
本発明による光学フィルタ装置では、無色透明で耐衝撃性を有するアクリルあるいはポリカーボネート等の合成樹脂にＰＤＰの発光色を補正するための顔料を混合して光学フィルタ基台を形成し、外光の反射を防止する光反射防止層を表面に設け、他の面に、ＰＤＰより放出される近赤外領域の線スペクトルを遮断すると共にＰＤＰより漏洩する電磁波を遮蔽する層を設ける。この近赤外領域の線スペクトルおよび電磁波を遮蔽する層は、透明なフィルムに銀および無機酸化物からなる薄膜をスパッタ等により透明状に成膜し、周縁部にアース電極を設け、アース電極に当接した接続部によりＰＤＰを収納する筺体に接続し、電磁波により誘起される電圧を接地する。
【０００７】
【実施例】
以下、図面に基づいて本発明による光学フィルタ装置の実施例を詳細に説明する。図１は本発明による光学フィルタ装置を取付けた状態の一例の概要図、図２は本発明による光学フィルタ装置の構成を示す側断面図、図３は近赤外領域の線スペクトルの遮断特性を説明する図である。
【０００８】
図１において、１はＰＤＰ、２は光学フィルタ装置（以降、フィルタと略す）、３は筺体前部、４は筺体後部である。フィルタ２の周縁部に取付金具７を当接し、この取付金具７をネジ６で筺体前部３の取付ボス５に締付け、フィルタ２を筺体前部３に取付ける。ＰＤＰ１は、取付ボス８を介してネジ９により筺体後部４に固定し、筺体後部４を筺体前部３に取付けることによりＰＤＰ１の周縁部を取付金具７に当接させ、取付金具７をフィルタ２に強く接触させ、フィルタの周縁部に設けられている後述するアース電極（電磁波遮蔽層を接地に接続するための電極）と密に接触するようにする。取付ボス５、筺体前部３の内面、筺体後部４の内面および取付ボス８等は表面に導電処理加工を行い、これにより、電磁波遮蔽層をＰＤＰ１の背面の金属部（アース）に接続し、ＰＤＰ１より放射される電磁波により電磁波遮蔽層に誘起される電圧をアースに導通する。
【０００９】
図２において、11はフィルタ基台、12はフィルタ基台11の１面に配設した銀スパッタフィルム、13は外光の反射防止用のＡＲ（Anti-Reflection ）フィルム、14はニュートンリング（明暗の同心円）防止用のＡＮ（Anti-Newton Ring）フィルム、15は銀スパッタフィルム12をアースに接続するために設けたアース電極で、導電性の金属をプリントして形成する。銀スパッタフィルム12、ＡＲフィルム13、およびＡＮフィルム14はそれぞれ透明な粘着剤等で粘着する。
【００１０】
フィルタ基台11は、無色透明で耐衝撃性を有する合成樹脂、例えば、アクリルあるいはポリカーボネートに、ＰＤＰ１の発光色を補正するための赤色成分を吸収する選択吸収フィルタ用の顔料を混合し、ＰＤＰ１の青色発光用の蛍光物質が青色の他に僅かに発光する赤色成分を吸収するようにする。
【００１１】
銀スパッタフィルム12は、例えば、透明なＰＥＴ（Polyethlene terephthalate ）フィルムの片面に、銀、または銀および無機酸化物をスパッタリングし、表面抵抗が略2.7 オーム／平方cmとなるように略100 Åの薄膜に成膜する。このスパッタリング層によりＰＤＰ１より漏洩する30MHz 〜130MHzの周波数範囲の電磁波を遮蔽すると共に、ＰＤＰより放出される近赤外領域（800nm 〜1000nm）の線スペクトルを遮断する。無機酸化物の微粒子を被着させるのは、銀のみの被着では表面が鏡面状になり、背後の様子が鏡面で反射して見えるのを防止するためで、例えば、白色の無機酸化物の微粒子を前面側（図２の下方側）に被着させ、その後面側に銀を被着するようにする、あるいは、銀と無機酸化物とを同時にスパッタするようにし、前面からの光を無機酸化物の微粒子で乱反射させるようにする。
【００１２】
実験によれば、上記電磁波の遮蔽量（減衰）は上記周波数範囲で最低10デシベル以上が得られ、ＰＤＰ１自体の持つ電磁波遮蔽性能との合計で情報処理装置等で規制されている電磁波の外部への漏洩レベルをクリアすることができる。また、近赤外領域の線スペクトル遮蔽特性は、400nm 〜700nmnの波長領域で略60％を透過し、800nm の透過率は約10％、850nm では４％以下となり、これにより、周辺に設置される赤外線リモートコントロール装置あるいは光通信機器への妨害を防止できる。
【００１３】
なお、銀スパッタフィルム12の周縁部にアース接続用の電極をプリント等で形成し、この部分に取付金具７を当接させ、銀スパッタフィルム12と導通させ、取付金具７を介し、表面に導電処理を施した取付ボス５→筺体前部３の内面→筺体後部４の内面→取付ボス８を経てＰＤＰ１の背面のアースに接続する。
【００１４】
ＡＲフィルム13は、例えば、透明なフィルムの表面に屈折率の異なる材料の膜を複数枚重ねて蒸着する、あるいはフッ素樹脂を塗布して膜を形成し、これにより入射光を複雑に屈折させて前方に戻りにくくし、外光の反射による映像のコントラストの低下を防止する。また、ＡＮフィルム14は、透明なフィルムの表面に微細な凹凸を形成し、フィルタ２をＰＤＰ１に接触させて配設した場合にこの凹凸によりＰＤＰ１の表面にフィルタ２が密着しないようにし、ニュートンリング（明暗の同心円）の発生を防止する。
【００１５】
【発明の効果】
以上に説明したように、本発明による光学フィルタ装置によれば、略100 Å厚の銀スパッタフィルム層により、ＰＤＰより漏洩する30MHz 〜130MHzの周波数範囲の電磁波を遮蔽すると共に、ＰＤＰより放出される近赤外領域（800nm 〜1000nm）の線スペクトルを遮断できるため、電磁波の漏洩レベルを低減させると共に近赤外領域の線スペクトルの放出によるリモートコントロール装置あるいは光通信機器等への動作の妨害を防止できる有効なものである。
また、これにより電磁波の漏洩防止処理と近赤外線の遮断とを別々に行うものに比べてコストを大幅に低減することができる。
【図面の簡単な説明】
【図１】  本発明による光学フィルタ装置を取付けた状態の概要側面図である。
【図２】  本発明による光学フィルタ装置の要部断面図である。
【図３】  近赤外領域の線スペクトルの遮断特性を説明する図である。
【符号の説明】
１  ＰＤＰ
２  光学フィルタ
７  取付金具
11  フィルタ基台
12  銀スパッタフィルム
13  ＡＲフィルム
14  ＡＮフィルム
15  アース電極
【図１】
0003674146.tif 000002
【図２】
0003674146.tif 000003
【図３】
0003674146.tif 000004